(57)【要約】【課題】補助弾性部材が位置するベースシートの部位の伸縮範囲を補助弾性部材自体の伸縮範囲に略一致させることができるパンツ型の使い捨て着用物品を提供する。【解決手段】物品１Ａでは、ベースシート２が内側シート６（第１シート）と外側シート５（第２シート）とから形成され、パネル２５を横切る複数条の補助弾性部材１９が内外側シート５，６の間に介在するとともに、前後胴周り域７，９における胴周り用弾性部材１５と脚周り開口４との間に収縮可能に取り付けられている。物品１Ａは、補助弾性部材１９が内外側シート５，６に固着された両端部と内外側シート５，６から遊離する中央部とを有し、補助弾性部材１９が位置するベースシート２の部位の胴周り方向における収縮寸法が補助弾性部材１９の非伸長時における胴周り方向の寸法の１．０〜１．１倍の範囲にある。【選択図】　　　図１
2004089479.tif 000002
【特許請求の範囲】
【請求項１】
互いに対向する前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートが、前記パネルの両端縁の外側に位置する胴周り端部と、前記パネルの両側縁の外側に位置する胴周り側部とを有し、前記胴周り側部の側縁近傍が連結されて胴周り開口と一対の脚周り開口とが形成され、胴周り方向へ延びる胴周り用弾性部材が前記胴周り端部に収縮可能に取り付けられたパンツ型の使い捨て着用物品において、
前記ベースシートが、前記パネルの側に位置する第１シートと、前記第１シートの外側に位置する第２シートとから形成され、胴周り方向へ延びていて前記パネルを横切る複数条の補助弾性部材が、前記第１シートと前記第２シートとの間に介在するとともに、前記前後胴周り域のうちの少なくとも一方における前記胴周り用弾性部材と前記脚周り開口との間に収縮可能に取り付けられ、
それら補助弾性部材が位置する前記ベースシートの部位の胴周り方向における収縮寸法が、前記補助弾性部材の非伸長時における胴周り方向の寸法の１．０〜１．１倍の範囲にあることを特徴とする前記着用物品。
【請求項２】
前記補助弾性部材が、前記胴周り側部の側縁近傍に位置して前記第１および第２シートの少なくとも一方に固着された両端部と、前記両端部の間に位置して前記第１および第２シートから遊離する中央部とを有する請求項１記載の着用物品
【請求項３】
前記補助弾性部材の胴周り方向の伸長倍率が、１．５〜４．０倍の範囲にある請求項１または請求項２に記載の着用物品。
【請求項４】
前記第１シートと前記第２シートとを固着する多数の固着部が、前記補助弾性部材の間に形成されるとともに、前記パネルの両側縁近傍に位置して縦方向へ並んでいる請求項１または請求項３いずれかに記載の着用物品。
【請求項５】
前記固着部が、前記パネルが位置する部位の略全域に形成されている請求項４記載の着用物品。
【請求項６】
前記補助弾性部材の非伸長時における胴周り方向の寸法が、前記前後胴周り域に位置する前記パネルの胴周り方向の寸法と略同一、または、前記前後胴周り域に位置する前記パネルの胴周り方向の寸法よりもわずかに長い請求項１ないし請求項５いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
特開平９−５６７４７号公報は、肌当接側に位置する透液性表面シートと、肌非当接側に位置する不透液性裏面シートと、表裏面シートの間に介在する吸液性コアとから構成され、前後胴周り域の胴周り側部の側縁近傍が縦方向へ間欠的に並ぶ多数の熱融着部を介して連結され、胴周り開口とその下方に一対の脚周り開口とが形成されたパンツ型の使い捨て着用物品を開示している。
【０００３】
この着用物品は、胴周り方向へ延びる複数条の胴周り用弾性部材が前胴周り域における胴周り端部に収縮可能に取り付けられ、胴周り用弾性部材の下方に位置して胴周り方向へ延びる複数条の補助弾性部材が胴周り用弾性部材と脚周り開口との間に収縮可能に取り付けられているとともに、脚周り方向へ延びる複数条の脚周り用弾性部材が脚周り開口の縁部に収縮可能に取り付けられている。
【０００４】
胴周り用弾性部材と脚周り用弾性部材とは、表面シートと裏面シートとの間に介在し、それらシートの内面にホットメルト型接着剤を介して固着されている。補助弾性部材のうちの胴周り側部に位置する部分は、表面シートと裏面シートとの間に介在し、それらシートの内面にホットメルト型接着剤を介して固着されている。補助弾性部材のうちのコアを横切る部分は、裏面シートとコアとの間に介在し、裏面シートにホットメルト型接着剤を介して固着されている。
【０００５】
この着用物品は、コアの端縁近傍において補助弾性部材の配列間隔をコアの他の部位における補助弾性部材のそれよりも小さくしているので、着用物品をコアの端縁近傍において確実に着用者の胴周りに密着させ、コアの端縁近傍における排泄物の漏れを防ぐことができるという効果を有する。
【０００６】
【発明が解決しようとする課題】
前記公報に開示の着用物品は、補助弾性部材を胴周り方向へ所定の伸長倍率で伸長させた状態で表裏面シートに固着しているので、補助弾性部材が胴周り方向内方へ収縮することによって、表裏面シートも胴周り方向内方へ収縮する。しかし、補助弾性部材は、接着剤によってその収縮が抑制されるので、それが胴周り方向内方へ収縮したとしても、非伸長時の寸法まで収縮することはない。この物品では、補助弾性部材が非伸長時の寸法まで収縮することはないので、補助弾性部材が位置する表裏面シートの部位の伸縮範囲が補助弾性部材自体の伸縮範囲よりも小さくなり、補助弾性部材の伸縮範囲を十分に利用することができない。
【０００７】
本発明の課題は、補助弾性部材が位置するベースシートの部位の伸縮範囲を補助弾性部材自体の伸縮範囲に略一致させることができるパンツ型の使い捨て着用物品を提供することにある。
【０００８】
【課題を解決するための手段】
前記課題を解決するための本発明の前提は、互いに対向する前後胴周り域およびそれら胴周り域の間に位置する股下域を画成するベースシートと、前記ベースシートの前後胴周り域間に延びていて該ベースシートの内側に固着された液吸収パネルとから構成され、前記ベースシートが、前記パネルの両端縁の外側に位置する胴周り端部と、前記パネルの両側縁の外側に位置する胴周り側部とを有し、前記胴周り側部の側縁近傍が連結されて胴周り開口と一対の脚周り開口とが形成され、胴周り方向へ延びる胴周り用弾性部材が前記胴周り端部に収縮可能に取り付けられたパンツ型の使い捨て着用物品である。
【０００９】
前記前提における本発明の特徴は、前記ベースシートが、前記パネルの側に位置する第１シートと、前記第１シートの外側に位置する第２シートとから形成され、胴周り方向へ延びていて前記パネルを横切る複数条の補助弾性部材が、前記第１シートと前記第２シートとの間に介在するとともに、前記前後胴周り域のうちの少なくとも一方における前記胴周り用弾性部材と前記脚周り開口との間に収縮可能に取り付けられ、それら補助弾性部材が位置する前記ベースシートの部位の胴周り方向における収縮寸法が、前記補助弾性部材の非伸長時における胴周り方向の寸法の１．０〜１．１倍の範囲にあることにある。
【００１０】
本発明の実施の態様の一例としては、前記補助弾性部材が、前記胴周り側部の側縁近傍に位置して前記第１および第２シートの少なくとも一方に固着された両端部と、前記両端部の間に位置して前記第１および第２シートから遊離する中央部とを有する。
【００１１】
本発明の実施の態様の他の一例としては、前記補助弾性部材の胴周り方向の伸長倍率が、１．５〜４．０倍の範囲にある。
【００１２】
本発明の実施の態様の他の一例としては、前記第１シートと前記第２シートとを固着する多数の固着部が、前記補助弾性部材の間に形成されるとともに、前記パネルの両側縁近傍に位置して縦方向へ並んでいる。
【００１３】
本発明の実施の態様の他の一例としては、前記固着部が、前記パネルが位置する部位の略全域に形成されている。
【００１４】
本発明の実施の態様の他の一例としては、前記補助弾性部材の非伸長時における胴周り方向の寸法が、前記前後胴周り域に位置する前記パネルの胴周り方向の寸法と略同一、または、前記前後胴周り域に位置する前記パネルの胴周り方向の寸法よりもわずかに長い。
【００１５】
【発明の実施の形態】
添付の図面を参照し、本発明に係るパンツ型の使い捨て着用物品の詳細を説明すると、以下のとおりである。
【００１６】
図１，２は、使い捨て着用物品１の部分破断斜視図と、胴周り側部１１の連結を解除した状態で示す図１の物品１の展開平面図とであり、図３，４は、物品１をわずかに湾曲させたときの図２のＩ−Ｉ線矢視断面図と、図２のＩＩ−ＩＩ線矢視断面図とである。図１では、胴周り方向を矢印Ｘ、縦方向を矢印Ｙで示し、脚周り方向を矢印Ｚで示す。図２では、補助弾性部材１９の非伸長時の状態を二点鎖線で示す。なお、内側シート６（第１シート）と外側シート５（第２シート）との内面とは、パネル２５に対向する面をいい、それらシート５，６の外面とは、パネル２５に非対向の面をいう。
【００１７】
物品１は、ベースシート２と、ベースシート２の内側に固着された液吸収パネル２５とから構成されている。物品１は、胴周り開口３とその下方に一対の脚周り開口４とを有する。
【００１８】
ベースシート２は、パネル２５の側に位置する内側シート６（第１シート）と、内側シート６の外側に位置する外側シート５（第２シート）とから形成されている。ベースシート２は、互いに対向する前胴周り域７および後胴周り域９と、それら胴周り域７，９の間に位置する股下域８とを画成している。
【００１９】
ベースシート２は、パネル２５の両端縁２５ａの外側に位置して胴周り方向へ延びる胴周り端部１０と、パネル２５の両側縁２５ｂの外側に位置して縦方向へ延びる胴周り側部１１と、パネル２５の両側縁２５ｂの外側に位置して脚周り方向へ延びる脚周り開口縁部１２とを有する。ベースシート２では、胴周り側部１１の側縁１３が合掌状に重なり合い、側縁１３近傍が縦方向へ間欠的に並ぶ多数の熱融着部１４を介して固着されている。
【００２０】
胴周り端部１０と胴周り側部１１の側縁１３近傍と脚周り開口縁部１２とでは、内側シート６と外側シート５とが互いに重なり合い、それらシート５，６の内面どうしが固着されている。胴周り端部１０には、胴周り方向へ延びる複数条の胴周り用弾性部材１５が収縮可能に取り付けられている。胴周り端部１０には、胴周り用弾性部材１５が胴周り方向内方へ収縮することによって多数のギャザーが形成されている。脚周り開口縁部１２には、脚周り方向へ延びる複数条の脚周り用弾性部材１６が収縮可能に取り付けられている。脚周り開口縁部１２には、脚周り用弾性部材１６が脚周り方向内方へ収縮することによって多数のギャザーが形成されている。胴周り用弾性部材１５と脚周り用弾性部材１６とは、内側シート６と外側シート５との間に介在し、それらシート５，６の内外面に固着されている。
【００２１】
前胴周り域７では、パネル２５が位置する外側シート５の部位１７に小熊のイラスト１８（表示要素）が画かれている。イラスト１８は、外側シート５の外面に印刷されている。イラスト１８は、それが物品１の外側から認識可能であれば、外側シート５の内面に印刷されていてもよく、内側シート６の内外面のいずれかに印刷されていてもよい。前後胴周り域７，９には、パネル２５を横切って胴周り方向へ延びる複数条の補助弾性部材１９が収縮可能に取り付けられている。
【００２２】
補助弾性部材１９は、内側シート６と外側シート５との間に介在し、胴周り用弾性部材１５と脚周り開口４との間を縦方向へ所与寸法離間して並んでいる。補助弾性部材１９は、ベースシート２の胴周り側部１１の側縁１３近傍に位置して内側シート６と外側シート５とに固着された両端部１９ａと、両端部１９ａの間に位置する中央部１９ｂとを有する。中央部１９ｂは、内側シート６と外側シート５とに固着されておらず、それらシート５，６から遊離している。
【００２３】
補助弾性部材１９は、図２に示すように、その非伸長時における胴周り方向の寸法Ｌ１が前後胴周り域７，９に位置するパネル２５の胴周り方向の寸法Ｌ２よりもわずかに長い。寸法Ｌ１は、寸法Ｌ２よりも１〜５ｍｍ長いことが好ましい。補助弾性部材１９の非伸長時における胴周り方向の寸法Ｌ１は、パッド２５の胴周り方向の寸法Ｌ２と略同一であってもよい。
【００２４】
補助弾性部材１９は、それを胴周り方向へ伸長させた状態でベースシート２に取り付けられており、補助弾性部材１９の伸長状態を解除すると、それが胴周り方向内方へ収縮するとともに、ベースシート２も胴周り方向内方へ収縮する。補助弾性部材１９が位置するベースシート２の部位の胴周り方向における収縮寸法は、補助弾性部材１９自体の非伸長時の寸法の１．０〜１．１倍の範囲にある。ベースシート２の部位の胴周り方向における収縮寸法が補助弾性部材１９自体の非伸長時の寸法の１．１倍を超過すると、ベースシート２の部位の伸縮範囲が補助弾性部材１９自体の伸縮範囲よりも小さくなり、補助弾性部材１９の伸縮範囲を十分に利用することができない。
【００２５】
補助弾性部材１９をベースシート２に取り付けるときの補助弾性部材１９の伸長倍率は、１．５〜４．０倍の範囲にあることが好ましい。伸長倍率が１．５倍未満では、補助弾性部材１９の伸長範囲を十分に利用することができず、ベースシート２の伸縮範囲が小さくなり、物品１に対する着用者の胴周り寸法の適用範囲が狭くなってしまう。伸長倍率が４．０倍を超過すると、補助弾性部材１９がその両端部１９ａにおいてシート５，６から外れてしまう場合がある。
【００２６】
なお、補助弾性部材１９が位置するベースシート２の部位の収縮寸法に対する補助弾性部材１９自体の非伸長時の寸法の倍率は、以下の方法で算出した。
（１）物品１から補助弾性部材１９とともにベースシート２を切り取り、測定用のシート片を作成する。
（２）補助弾性部材１９の収縮によって収縮したシート片の両熱融着部１４間　（ただし、熱融着線１４が形成された胴周り側部１１の側縁１３近傍は除く）の収縮寸法（胴周り方向の寸法であり、収縮寸法をＬ３とする）を測定する。
（３）シート片の両熱融着部１４間の収縮寸法Ｌ３を測定した後、両熱融着部１４間で補助弾性部材１９を切断する（熱融着部１４に位置する補助弾性部材１９を切除）。次に、トルエン等の有機溶媒を使用して接着剤を洗浄し、シート５，６と切断した補助弾性部材１９とを分離させ、補助弾性部材１９を乾燥させて収縮した補助弾性部材１９自体の寸法（胴周り方向両端間の寸法であり、寸法をＬ４とする）を測定する。
（４）収縮寸法Ｌ３を寸法Ｌ４で除して寸法Ｌ４に対する収縮寸法Ｌ３の倍率を算出する。
【００２７】
前後胴周り域７，９では、内側シート６と外側シート５とが多数の固着部２０を介して固着されている。それら固着部２０は、補助弾性部材１９の間を縦方向と胴周り方向とヘ所与寸法離間して並んでいる。それら固着部２０は、点状を呈し、前後胴周り域７，９におけるパネル２５が位置する部位１７の略全域に形成されている。
【００２８】
固着部２０は、パネル２５の胴周り方向中央部に位置して縦方向へ並ぶ第１固着部２１と、第１固着部２１の両側に位置して縦方向へ並ぶ第２固着部２２と、パネル２５の両側縁２５ｂ近傍に位置して縦方向へ並ぶ第３固着部２３とから形成されている。第１〜第２固着部２１，２２のうちの前後胴周り域７，９の最上に位置する固着部２１ａ，２２ａは、パネル２５の両端縁２５ａ近傍を横切る補助弾性部材１９ｃとパネル２５の両端縁２５ａとの間に形成されている。第３固着部２３のうちの前後胴周り域７，９の最上に位置する固着部２３ａは、パネル２５の両端縁２５ａと両側縁２５ｂとの交差部位に形成されている。
【００２９】
なお、固着部２０の縦方向へ並ぶ数は、図示のものに限定するものではない。固着部２０は、点状のものの他に、胴周り方向へ延びる線状のものや帯状のものであってもよい。また、第１および第２固着部２１，２２は必ずしも必要ではなく、外側シート５と内側シート６とが第３固着部２３を介して固着されていればよい。
【００３０】
パネル２５は、肌当接側に位置する透液性表面シート２６と、肌非当接側に位置する不透液性裏面シート２７と、表裏面シート２６，２７の間に介在してそれらシート２６，２７の内面に固着された吸液性コア２８とから形成されている。パネル２５は、その平面形状が略矩形を呈し、ベースシート２の股下域８から前後胴周り域７，９へ向かって延びている。パネル２５の両側縁２５ｂ近傍には、実質的に不透液性の側部シート２９が取り付けられている。
【００３１】
パネル２５では、コア２８の周縁から周方向外方へ延びる表裏面シート２６，２７の周縁部が互いに重なり合った状態で固着されている。パネル２５は、ベースシート２の前後胴周り域７，９に位置する部位の略全域が裏面シート２７を介して前後胴周り域７，９に延びる内側シート６の内面に固着されている。
【００３２】
側部シート２９は、パネル２５の両側縁２５ｂ近傍に固着されて縦方向へ延びる固定縁部２９ａと、固定縁部２９ａと並行して縦方向へ延びる自由縁部２９ｂと、パネル２５の胴周り方向中央部の側に倒伏した状態でパネル２５の両端縁２５ａ近傍に固着された固定両端部２９ｃとを有する。自由縁部２９ｂには、縦方向へ延びる伸縮性弾性部材３０が伸長状態で取り付けられている。
【００３３】
コア２８は、フラッフパルプと高吸収性ポリマー粒子との混合物、または、フラッフパルプと高吸収性ポリマー粒子と熱可塑性合成樹脂繊維との混合物であり、所要の厚みに圧縮されている。ゆえに、パネル２５は、内側シート６や外側シート５よりも高剛性である。
【００３４】
コア２８は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００３５】
パネル２５では、それが表面シート２６を内側にして縦方向へ湾曲すると、弾性部材３０が収縮して側部シート２９の自由縁部２９ｂが表面シート２６の上方へ起立する。パネル２５では、側部シート２９の自由縁部２９ｂが排泄物に対する障壁を形成し、パネル２５の両側縁２５ｂからの排泄物の漏れを防ぐことができる。
【００３６】
内側シート６と外側シート５との固着や内外側シート５，６に対する弾性部材１５，１６，１９の固着、内側シート６と裏面シート２７との固着、表裏面シート２６，２７の固着、表裏面シート２６，２７に対するコア２８の固着には、ホットメルト型接着剤（図示せず）が使用されている。
【００３７】
物品１では、補助弾性部材１９の中央部１９ｂが内外側シート５，６に固着されていないので、接着剤によって補助弾性部材１９の中央部１９ｂの収縮が抑制されることはなく、補助弾性部材１９が位置するベースシートの部位の胴周り方向における収縮寸法を補助弾性部材１９自体の非伸長時の寸法の１．０〜１．１倍の範囲にすることができる。物品１は、補助弾性部材１９が位置するベースシート２の部位の伸縮範囲を補助弾性部材１９自体の伸縮範囲に略一致させることができ、物品１に対する着用者の胴周り寸法の適用範囲を広くすることができる。
【００３８】
物品１では、補助弾性部材１９の中央部１９ｂが内外側シート５，６に固着されていないので、胴周り端部１０と胴周り側部１１の側縁１３近傍と脚周り開口縁部１２とを除き、内側シート６と外側シート５とに縮緬状の多数のギャザーが形成されることはなく、それらシート５，６の触感や美観が向上する。また、パネル２５が位置する部位１７では、補助弾性部材１９が胴周り方向内方へ収縮したとしても、補助弾性部材１９の収縮力がパネル２５の剛性によって部位１７に位置する内側シート６と外側シート５とに及ばず、外側シート５が略フラットとなるので、外側シート５に画かれた小熊のイラスト１８が歪むことはなく、イラスト１８をはっきりと認識することができる。
【００３９】
物品１では、補助弾性部材１９の非伸長時における胴周り方向の寸法Ｌ１がパネル２５の両側縁２５ｂの間における胴周り方向のそれに対して１〜５ｍｍ長いので、補助弾性部材１９が胴周り方向へ収縮したとしても、補助弾性部材１９がパネル２５の胴周り方向の寸法Ｌ２よりも収縮することはなく、補助弾性部材１９の収縮力によってパネル２５に皺が形成されることはない。
【００４０】
物品１では、補助弾性部材１９の間に位置する多数の固着部２０が補助弾性部材１９の縦方向への移動を阻止する。物品１は、パネル２５の両端縁２５ａ近傍を横切る補助弾性部材１９ｃとパネル２５の両端縁２５ａとの間に固着部２１ａ，２２ａ，２３ａが形成されているので、補助弾性部材１９ｃがパネル２５の両端縁２５ａから外側へ外れてしまうことはない。また、補助弾性部材１９ｃがパネル２５の両端縁２５ａ近傍を支持するので、パネル２５の両端縁２５ａ近傍がベースシート２の外側へ向かって出っ張ることがない。
【００４１】
図５，６は、他の実施の形態を示す使い捨て着用物品３１の部分破断斜視図と、胴周り側部４３の連結を解除した状態で示す図５の物品３１の展開平面図とであり、図７，８は、物品３１をわずかに湾曲させたときの図６のＩＩＩ−ＩＩＩ線矢視断面図と、図６のＩＶ−ＩＶ線矢視断面図とである。図５では、胴周り方向を矢印Ｘ、縦方向を矢印Ｙで示し、脚周り方向を矢印Ｚで示す。
【００４２】
物品３１は、肌当接側に位置する透液性表面シート３２と、肌非当接側に位置する不透液性裏面シート３３（ベースシート）と、それらシート３２，３３の間に介在する吸液性コア３４（液吸収パネル）とから構成されている。物品３１は、互いに対向する前胴周り域３５および後胴周り域３７と、前後胴周り域３５，３７の間に位置する股下域３６とを有する。
【００４３】
物品３１は、コア３４の両端縁３４ａの外側に位置する胴周り端部４２と、コア３４の両側縁３４ｂの外側に位置する胴周り側部４３と、コア３４の両側縁３４ｂの外側に位置する脚周り開口縁部４４とを有する。物品３１では、胴周り側部４３の側縁４５が合掌状に重なり合い、側縁４５近傍が縦方向へ間欠的に並ぶ多数の熱融着部４６を介して固着されている。物品１は、胴周り開口３８とその下方に一対の脚周り開口３９とを有する。
【００４４】
裏面シート３３は、コア３４の側に位置する内側シート４１（第１シート）と、内側シート４１の外側に位置する外側シート４０（第２シート）とから形成されている。胴周り端部４２と胴周り側部４３の側縁４５近傍と脚周り開口縁部４４とでは、外側シート４０と内側シート４１とが互いに重なり合い、それらシート４０，４１どうしが固着されている。
【００４５】
コア３４は、股下域３６から前後胴周り域３５，３７へ向かって延びている。コア３４は、図１のそれと同一のもので、表面シート３２や内側シート４１、外側シート４０よりもその剛性が高い。コア３４は、その全体がティッシュペーパー４７に被覆され、その下面の略全域がティッシュペーパー４７を介して前後胴周り域３５，３７と股下域３６とに延びる内側シート４１の内面に固着されている。
【００４６】
表面シート３２は、胴周り方向の寸法が内側シート４１と外側シート４０との胴周り方向のそれよりも小さく、コア３４の周縁から周方向外方へ延びる表面シート３２の周縁部が内側シート４１の内面に固着されている。
【００４７】
胴周り端部４２には、胴周り方向へ延びる複数条の胴周り用弾性部材４８が収縮可能に取り付けられている。脚周り開口縁部４４には、脚周り方向へ延びる複数条の脚周り用弾性部材４９が収縮可能に取り付けられている。胴周り用弾性部材４８と脚周り用弾性部材４９とは、内側シート４１と外側シート４０との間に介在し、それらシート４０，４１の内外面に固着されている。
【００４８】
前後胴周り域３５，３７には、コア３４を横切って胴周り方向へ延びる複数条の補助弾性部材５０が収縮可能に取り付けられている。補助弾性部材５０は、内側シート４１と外側シート４０との間に介在し、胴周り用弾性部材４８と脚周り開口３９との間を縦方向へ所与寸法離間して並んでいる。補助弾性部材５０は、胴周り側部４３の側縁４５近傍に位置して内側シート４１と外側シート４０とに固着された両端部５０ａと、両端部５０ａの間に位置して外側シート４０と内側シート４１とから遊離する中央部５０ｂとを有する。
【００４９】
補助弾性部材５０の非伸長時における胴周り方向の寸法は、コア３４の胴周り方向の寸法と略同一、または、コア３４の胴周り方向の寸法よりも１〜５ｍｍ長いことが好ましい。補助弾性部材５０が位置する裏面シート３３の部位の胴周り方向における収縮寸法（前記Ｌ３）は、補助弾性部材５０自体の非伸長時の収縮寸法（前記Ｌ４）の１．０〜１．１倍の範囲にある。補助弾性部材５０を裏面シート３３に伸長状態で取り付けるときの補助弾性部材５０の伸長倍率は、１．５〜４．０倍の範囲にあることが好ましい。なお、補助弾性部材５０が位置する裏面シート３３の部位の収縮寸法に対する補助弾性部材５０自体の非伸長時の寸法の倍率は、図１の物品１と同様の方法で算出した。
【００５０】
内側シート４１と外側シート４０との固着や内外側シート４０，４１に対する弾性部材４８，４９，５０の固着、内側シート４１に対する表面シート３２やコア３４の固着には、ホットメルト接着剤（図示せず）が使用されている。
【００５１】
物品３１では、補助弾性部材５０の中央部１９ｂが内外側シート５，６に固着されていないので、接着剤によって補助弾性部材５０の中央部５０ｂの収縮が抑制されることはなく、補助弾性部材５０が位置する裏面シート３３の部位の胴周り方向における収縮寸法を補助弾性部材５０自体の非伸長時の寸法の１．０〜１．１倍の範囲にすることができる。物品３１は、補助弾性部材５０が位置する裏面シート３３の部位の伸縮範囲を補助弾性部材５０自体の伸縮範囲に略一致させることができ、物品３１に対する着用者の胴周り寸法の適用範囲を広くすることができる。
【００５２】
物品３１では、補助弾性部材５０の胴周り方向への収縮によって、前後胴周り域３５，３７に延びる内側シート４１と外側シート４０とが緩やかに起伏するが、補助弾性部材５０の中央部５０ｂが内外側シート４０，４１に固着されていないので、胴周り端部４２と胴周り側部４３の側縁４５近傍と脚周り開口縁部４４とを除き、外側シート４０と内側シート４１とに縮緬状の多数のギャザーが形成されることはない。物品３１は、補助弾性部材５０が胴周り方向へ収縮したとしても、補助弾性部材５０がコア３４の胴周り方向の寸法よりも収縮することはなく、補助弾性部材５０の伸長応力によってコア３４に皺が形成されることはない。
【００５３】
外側シート５，４０や内側シート６，４１、裏面シート２７には、実質的に不透液性の疎水性繊維不織布、通気不透液性の熱可塑性プラスチックフィルム、前記疎水性繊維不織布を重ね合わせた複合不織布、前記疎水性繊維不織布と通気不透液性の前記熱可塑性プラスチックフィルムとを重ね合わせた複合シートのいずれかを使用することができる。表面シート２６，３２には、親水処理を施した繊維不織布、または、微細な多数の開孔を有する熱可塑性プラスチックフィルムや疎水性繊維不織布を使用することができる。
【００５４】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエチレン／ポリエステルからなる芯鞘型複合繊維または並列型複合繊維を使用することができる。
【００５５】
【発明の効果】
本発明に係るパンツ型の使い捨て着用物品によれば、補助弾性部材の中央部が第１シートと第２シートとに固着されていないので、補助弾性部材が位置するベースシートの部位の胴周り方向における収縮寸法を補助弾性部材自体の非伸長時の寸法の１．０〜１．１倍の範囲にすることができる。この物品は、補助弾性部材が位置するベースシートの部位の伸縮範囲を補助弾性部材自体の伸縮範囲に略一致させることができ、物品に対する着用者の胴周り寸法の適用範囲を広くすることができる。この物品は、胴周り端部と胴周り側部の側縁近傍と脚周り開口縁部とを除き、ベースシートに縮緬状の多数のギャザーが形成されることはなく、ベースシートの触感や美観が向上する。
【００５６】
第１および第２シートが補助弾性部材の間に位置して縦方向へ並ぶ多数の固着部を介して固着された物品では、前後胴周り域における補助弾性部材の縦方向への移動を防止することができる。
【００５７】
補助弾性部材の非伸長時における胴周り方向の寸法がパネルの両側縁の間における胴周り方向の寸法に対して略同一またはわずかに長い物品では、補助弾性部材が胴周り方向内方へ向かって収縮したとしても、補助弾性部材がパネルの胴周り方向の寸法よりも収縮することはなく、補助弾性部材の収縮力によってパネルに皺が形成されることはない。
【図面の簡単な説明】
【図１】使い捨て着用物品の部分破断斜視図。
【図２】前後方向へ展開した状態で示す図１の物品の平面図。
【図３】図２のＩ−Ｉ線断面図。
【図４】図２のＩＩ−ＩＩ線断面図。
【図５】他の実施の形態を示す使い捨て着用物品の部分破断斜視図。
【図６】前後方向へ展開した状態で示す図５の物品の平面図。
【図７】図６のＩＩＩ−ＩＩＩ線断面図。
【図８】図６のＩＶ−ＩＶ線断面図。
【符号の説明】
１　　　　　　パンツ型の使い捨て着用物品
２　　　　　　ベースシート
３　　　　　　胴周り開口
４　　　　　　脚周り開口
５　　　　　　外側シート（第２シート）
６　　　　　　内側シート（第１シート）
７　　　　　　前胴周り域
８　　　　　　股下域
９　　　　　　後胴周り域
１０　　　　　　胴周り端部
１１　　　　　　胴周り側部
１２　　　　　　脚周り開口縁部
１３　　　　　　側縁
１５　　　　　　胴周り用弾性部材
１９　　　　　　補助弾性部材
１９ａ　　　　　両端部
１９ｂ　　　　　中央部
１９ｃ　　　　　補助弾性部材
２０　　　　　　固着部
２５　　　　　　液吸収パネル
２５ａ　　　　　両端縁
２５ｂ　　　　　両側縁
３１　　　　　　パンツ型の使い捨て着用物品
３３　　　　　　不透液性裏面シート（ベースシート）
３４　　　　　　吸液性コア（液吸収パネル）
３５　　　　　　前胴周り域
３６　　　　　　股下域
３７　　　　　　後胴周り域
３８　　　　　　胴周り開口
３９　　　　　　脚周り開口
４０　　　　　　外側シート（第２シート）
４１　　　　　　内側シート（第１シート）
４２　　　　　　胴周り端部
４３　　　　　　胴周り側部
４４　　　　　　脚周り開口縁部
４５　　　　　　側縁
４８　　　　　　胴周り用弾性部材
５０　　　　　　補助弾性部材
５０ａ　　　　　両端部
５０ｂ　　　　　中央部
Ｌ１　　　　　　寸法
Ｌ２　　　　　　寸法
【図１】
2004089479.tif 000003
【図２】
2004089479.tif 000004
【図３】
2004089479.tif 000005
【図４】
2004089479.tif 000006
【図５】
2004089479.tif 000007
【図６】
2004089479.tif 000008
【図７】
2004089479.tif 000009
【図８】
2004089479.tif 000010